(57)【特許請求の範囲】
【請求項１】
釣糸を巻回保持するスプールをリール本体の側板間に回転自在に支持した魚釣用リールであって、
前記スプールは、釣糸が巻回される巻回胴部と、前記巻回胴部の両側部に設けられたフランジ部と、を備え、
前記フランジ部は、
前記巻回胴部の端部から径方向外側に向けて張り出した環状壁部と、
前記環状壁部の外周縁部から軸方向外側へ向けて延在し、前記側板の上面に近接配置される第一周壁部と、を備えており、
前記第一周壁部は、前記側板の上面よりも軸方向内側に位置してサミング操作用の外周面を備えていることを特徴とする魚釣用リール。
【請求項２】
前記第一周壁部の径方向内側において前記環状壁部の外面から軸方向外側へ向けて延在する第二周壁部を備え、前記第二周壁部は、前記第一周壁部よりも軸方向外側に突出していることを特徴とする請求項１に記載の魚釣用リール。
【請求項３】
前記第一周壁部と前記第二周壁部との間には環状の凹部が設けられていることを特徴とする請求項２に記載の魚釣用リール。
【請求項４】
前記側板には、前記凹部内に挿入される挿入部が設けられていることを特徴とする請求項３に記載の魚釣用リール。
【請求項５】
前記第二周壁部の外周面には、凸部が設けられていることを特徴とする請求項２から請求項４のいずれか１項に記載の魚釣用リール。
【請求項６】
前記環状壁部の内面は、径方向外側に向かうにつれて軸方向内側へ傾斜していることを特徴とする請求項１から請求項５のいずれか１項に記載の魚釣用リール。
【発明の詳細な説明】
【技術分野】
【０００１】
本発明は魚釣用リールに関する。
【背景技術】
【０００２】
一般に、ルアー等の疑似餌をキャストするために用いられる魚釣用リールとして、両軸受型の魚釣用リールが知られている。この魚釣用リールにおいて、キャスティング時には、クラッチ機構によってスプールをフリー状態に切り換え、釣竿を振り抜く操作でスプールを高速回転させ、ルアー等の擬似餌を繰り出している。
【０００３】
ところで、釣糸放出性の向上を図る手段として、スプールの軽量化による慣性力の低減が挙げられる。そのため、例えば、釣糸が巻回される巻回胴部が深溝状とされたスプールのように、常時使用されることのない釣糸が巻回されている状態では、スプールの重量が必然的に増加してしまい、慣性力が大きくなるため好ましくない。
【０００４】
そこで、近年、糸径の細径化を図りながら所定の強度維持を可能とする釣糸の普及に伴って、巻回胴部が浅溝状とされたスプールをキャスティング用に使用することが主流となってきている。
【０００５】
一方、キャスティング時には、釣糸の放出速度よりもスプールの回転速度が速くなることによって生じる糸フケ、いわゆるバックラッシュ現象が、風の影響や糸癖、リール側のブレーキ力の設定具合等によって発生する可能性がある。
このようなバックラッシュ現象を発生してしまうと、スプールのフランジ部の外周とリール本体の側板の内周とのわずかな隙間に、釣糸が入り込んで絡まってしまう糸噛み現象を生じることがある。特に、細径化された釣糸では、糸噛み現象を生じさせ易かった。
【０００６】
従来、このような糸噛み現象を防止する技術として、特許文献１に記載されたものが知られている。特許文献１では、図１０に示すように、スプール８０のフランジ部８１に対して、径方向外側に突出する突起８２を設けている。突起８２は、リール本体の側板８４との間に僅かな隙間Ｓ２を空けて配置されている。特許文献１では、この僅かな隙間Ｓ２を有する配置構造によって、釣糸Ｌの侵入の防止を図っている。
【先行技術文献】
【特許文献】
【０００７】
【特許文献１】特許第４５００５９９号公報
【発明の概要】
【発明が解決しようとする課題】
【０００８】
しかしながら、特許文献１の魚釣用リールでは、スプール８０の外周のサミング領域Ｒ１が側板８４の端部８４ａから離間しているため、側板８４上からスプール８０上に手の指を移動させるサミング操作が行い難く、釣糸放出操作をスムーズに行えないという課題があった。
【０００９】
本発明は、前記問題を解決するためになされたものであり、糸噛み現象の防止を図りながら、サミング操作を好適に行うことができ、スムーズな釣糸放出操作を実現することができる魚釣用リールを提供することを課題とする。
【課題を解決するための手段】
【００１０】
このような課題を解決する本発明の魚釣用リールは、釣糸を巻回保持するスプールをリール本体の側板間に回転自在に支持した魚釣用リールであって、前記スプールは、釣糸が巻回される巻回胴部と、前記巻回胴部の両側部に設けられたフランジ部と、を備え、前記フランジ部は、前記巻回胴部の端部から径方向外側に向けて張り出した環状壁部と、前記環状壁部の外周縁部から軸方向外側へ向けて延在し、前記側板の上面に近接配置される第一周壁部と、を備えており、前記第一周壁部は、前記側板の上面よりも軸方向内側に位置してサミング操作用の外周面を備えていることを特徴とする。
【００１１】
この魚釣用リールによれば、リール本体の側板と、巻回胴部の端部から径方向外側に向けて張り出す環状壁部とを、環状壁部の外周縁部から軸方向外側へ向けて延在する第一周壁部を介して軸方向に離間配置することができる。これにより、スプールの過回転によりバックラッシュ現象が発生して釣糸が径方向外方に膨らんでも、環状壁部によって釣糸のスプールのフランジ部側への移動が抑制されて、スプールの内側に釣糸が食い込んだり絡み付いたりする糸噛み現象を防止できる。
また、第一周壁部は、巻回胴部の径方向外側となる環状壁部の外周縁部から軸方向外側に延在してリール本体の側板の上面に近接配置されているので、サミング時に側板上から第一周壁部上に手の指をスムーズに移動させることができる。
【００１２】
また、本発明は、「前記第一周壁部の径方向内側において前記環状壁部の外面から軸方向外側へ向けて延在する第二周壁部を備え、前記第二周壁部は、前記第一周壁部よりも軸方向外側に突出している」ことを特徴とする。
【００１３】
この魚釣用リールによれば、第一周壁部の径方向内側に第二周壁部が備わり、第二周壁部は第一周壁部よりも軸方向外側に突出しているので、仮に第一周壁部と側壁との隙間を通じて釣糸が侵入したとしても、第二周壁部に釣糸を係止させることができ、第二周壁部よりも内側へ釣糸が移動するのを規制することができる。
【００１４】
また、本発明は、「前記第一周壁部と前記第二周壁部との間に環状の凹部が設けられている」ことを特徴とする。
【００１５】
この魚釣用リールでは、仮に第一周壁部と側壁との隙間を通じて釣糸が侵入したとしても、環状の凹部内に釣糸を好適に係止させることができる。
【００１６】
また、本発明は、「前記側板には、前記凹部内に挿入される挿入部が設けられている」ことを特徴とする。
【００１７】
この魚釣用リールでは、挿入部により仕切られた凹部内の空間を利用して釣糸の侵入を防止するラビリンス効果が得られる。したがって、仮に第一周壁部と側壁との隙間を通じて釣糸が侵入したとしても、環状の凹部内に釣糸をより一層好適に係止させることができる。
【００１８】
また、本発明は、「前記第二周壁部の外周面に、凸部が設けられている」ことを特徴とする。
【００１９】
この魚釣用リールでは、第二周壁部の凸部に釣糸を好適に係止させることができる。
【００２０】
また、本発明は、「前記環状壁部の内面が径方向外側に向かうにつれて軸方向内側へ傾斜している」ことを特徴とする。
【００２１】
この魚釣用リールでは、環状壁部の傾斜によって、径方向外側に向けた釣糸の移動を抑制することができる。
【発明の効果】
【００２２】
本発明によれば、リール本体の側板と環状壁部とを第一周壁部を介して離間配置することができるので、バックラッシュした際の釣糸の膨らみが側板側に近付き難くなり、側板とスプールとの間に釣糸が侵入するリスクを好適に抑えることができる。
また、第一周壁部が側板の上面に近接配置され、サミング時に側板上から第一周壁部上に手の指をスムーズに移動させることができるので、釣糸の侵入の防止を図りながら、サミング操作を好適に行うことができ、スムーズな釣糸放出操作を実現することができる。
【００２３】
また、第一周壁部の内側に第二周壁部が備わる構成では、仮に第一周壁部と側壁との隙間を通じて釣糸が侵入したとしても、第二周壁部に釣糸を係止させることができ、これよりも内側へ釣糸が移動するのを規制することができるので、スプールの内側に釣糸が食い込んだり絡み付いたりする糸噛み現象を好適に防止することができる。
【００２４】
また、第一周壁部と第二周壁部との間に環状の凹部が設けられている構成では、仮に第一周壁部と側壁との隙間を通じて釣糸が侵入したとしても、環状の凹部内に釣糸を好適に係止させることができるので、スプールの内側に釣糸が食い込んだり絡み付いたりする糸噛み現象を好適に防止することができる。
【００２５】
また、凹部内に挿入される挿入部が側板側に設けられている構成では、凹部内におけるラビリンス効果を期待でき、環状の凹部内に釣糸を好適に係止させることができるので、スプールの内側に釣糸が食い込んだり絡み付いたりする糸噛み現象をより一層好適に防止することができる。
【００２６】
また、第二周壁部の外面に凸部が設けられている構成では、仮に第一周壁部と側壁との隙間を通じて釣糸が侵入したとしても、凸部に釣糸を好適に係止させることができるので、スプールの内側に釣糸が食い込んだり絡み付いたりする糸噛み現象をより一層好適に防止することができる。
【００２７】
また、環状壁部の内面が径方向外側に向かうにつれて軸方向内側へ傾斜している構成では、環状壁部の傾斜によって径方向外側に向けた釣糸の移動を抑制することができるので、バックラッシュした際の釣糸の膨らみが側板側に近付き難くなり、側板とスプールとの間に釣糸が侵入するリスクをより一層好適に抑えることができる。
【図面の簡単な説明】
【００２８】
【図１】本発明の一実施形態に係る魚釣用リールの構成を示す上面図である。
【図２】リール本体の内部構造を示す上面図である。
【図３】スプールと側壁との関係を示す縦断面図である。
【図４】フランジ部の詳細を示す拡大縦断面図である。
【図５】第一変形例を示す要部の拡大縦断面図である。
【図６】第二変形例を示す要部の拡大縦断面図である。
【図７】第三変形例を示す要部の拡大縦断面図である。
【図８】第四変形例を示す要部の拡大縦断面図である。
【図９】第五変形例を示す要部の拡大縦断面図である。
【図１０】従来技術の説明図である。
【発明を実施するための形態】
【００２９】
以下、本発明に係る魚釣用リールの実施形態について図面を参照しながら説明する。なお、以下の説明において、「前後」「左右」を言うときは、図１に示した方向を基準とし、「上下」を言うときは、図３，図４等に示した方向を基準とする。なお、説明において、同一の要素には同一の符号を用い、重複する説明は省略する。
【００３０】
本実施形態に係る魚釣用リールは、図１に示すように、左右側板１Ａ，１Ｂを備えたリール本体１を有している。左右側板１Ａ，１Ｂは、左右フレーム２ａ，２ｂを左右カバー３ａ，３ｂで覆って構成される。リール本体１には、左右側板１Ａ，１Ｂ間に位置し、図示しない釣竿に装着されるリール脚１Ｃが一体形成されている。また、左右フレーム２ａ，２ｂ間には、図２に示すように、スプール軸５が軸受６ａ，６ｂを介して回転可能に支持されており、スプール軸５には、釣糸が巻回されるスプール５０が一体的に固定されている。さらに、左右側板１Ａ，１Ｂ間には、スプール５０に対して上方側に、指を載置可能なサムレスト１Ｄが設けられている。
【００３１】
本実施形態では、図１に示すように、スプール５０を回転駆動するハンドル８を右側板１Ｂ側に設置している。図２に示すように、右フレーム２ｂと右カバー３ｂとの間には空間が形成され、この空間には、ハンドル８の回転駆動力をスプール軸５に伝達する公知の駆動力伝達機構１０が配設されている。また、右フレーム２ｂと右カバー３ｂとの間には、スプール軸５を動力伝達状態と動力遮断状態に切り換える公知のクラッチ機構２０が配設されている。クラッチ機構２０は、スプール５０の後方側の左右側板１Ａ，１Ｂ間に配設されたクラッチ切り換え操作部材２１（図１参照）を押し下げ操作することで、クラッチＯＮ状態（動力伝達状態であり釣糸巻き取り状態）からクラッチＯＦＦ状態（動力遮断状態であり釣糸放出状態）に切り換えるようになっている。
【００３２】
駆動力伝達機構１０は、ハンドル８が固定されたハンドル軸８ａにドラグ装置８ｂと関連して回転可能に装着された回転体としての駆動歯車１１と、この駆動歯車１１に噛合するピニオン１２とを備えている。
ハンドル軸８ａは、公知のように、右カバー３ｂとの間に設けられた一方向クラッチ（楔作用を利用した転がり式一方向クラッチ）Ｋにより、釣糸巻き取り方向の回転を許容し、釣糸繰り出しに伴う逆回転を防止する逆回転防止機構を構成している。
【００３３】
ピニオン１２は、図２に示すように、スプール軸５と同軸上に設置されており、ピニオン軸（スプール軸５であってもよい）１２ａに沿って軸方向に移動可能となっている。また、ピニオン１２の外周には、円周溝１２ｂが形成されており、この円周溝１２ｂに、クラッチ機構２０のヨーク２２が係合して、ピニオン１２を軸方向に移動させるように構成されている。すなわち、ピニオン１２が軸方向に移動することで、スプール軸５との間で継脱がなされ、動力伝達状態（クラッチＯＮ）／動力遮断状態（クラッチＯＦＦ）に切り換えられるように構成されている。
【００３４】
スプール５０の前方において、リール本体１の左右側板１Ａ，１Ｂ間には、レベルワインド装置４０が配置されている。レベルワインド装置４０は、駆動力伝達機構１０を介して回転駆動される螺軸４１と、螺軸４１に装着されて左右方向に往復動可能に設けられた釣糸案内体４５とを備えている。
螺軸４１は、左右側板１Ａ，１Ｂ間に回転可能に支持されており、駆動力伝達機構１０を介して回転駆動されるようになっている。螺軸４１の端部には、連動歯車４２が取り付けられており、この連動歯車４２には、ハンドル軸８ａの駆動歯車１１に隣接して設けられた歯車１１ａが噛合している。これにより、ハンドル８を巻き取り回転操作すると、ハンドル軸８ａの回転が、歯車１１ａおよび連動歯車４２を通じて螺軸４１に伝わり、螺軸４１が回転駆動される。
【００３５】
螺軸４１の外周面には、螺旋溝４１ａが形成されており、この螺旋溝４１ａには、釣糸案内体４５に設けられた摺動子（不図示）が係合している。このような螺軸４１は、左右側板１Ａ，１Ｂ間に架け渡された筒体４３内に収容されている。
【００３６】
釣糸案内体４５は、螺軸４１が連動歯車４２によって回転駆動されることで、螺旋溝４１ａに係合する摺動子を介して左右往復動するようになっている。
【００３７】
釣糸案内体４５は、釣糸を案内するためのラインガイド４６を有している。ラインガイド４６には、釣糸挿通孔４７が形成されている。
【００３８】
左カバー３ａには、スプール５０の制動力の調整を行う調節つまみ９が設けられ、また、左フレーム２ａと左カバー３ａとの間には、調節つまみ９の操作によって調整される制動装置３０が設けられている。制動装置３０には、スプール軸５に固着された円筒状の導電環体５０ａが配置される、導電環体５０ａは、例えば、アルミ銅などの非磁性材料からなる。導電環体５０ａは、浅溝状のスプール５０の内側空間を利用して大径に形成されている。
【００３９】
次に、スプール５０周りの構造およびスプール５０について詳細に説明する。
図２に示すように、左フレーム２ａのスプールカバー２ａ２の内側には、左フレーム２ａを突き抜ける透孔からなるスプール挿入口２ａ３が形成されている。スプール挿入口２ａ３には、左カバー３ａに設けられる軸受支持部材３ａ１の円筒状の嵌合部３ａ２が嵌め入れられている。嵌合部３ａ２の側部（右側部）には、環状のカラー６０が取り付けられている。カラー６０は、スプール５０の外形サイズに適合した大きさとなっており、スプール５０の左側のフランジ部５５に対向配置されている。
一方、右フレーム２ｂのスプールカバー２ｂ２の内側にも、環状のカラー６０が取り付けられている。カラー６０は、スプール５０の右側のフランジ部５５に対向配置されている。なお、カラー６０は、嵌合部３ａ２の側部およびスプールカバー２ｂ２の内側に対して、接着、カシメ、ネジ止め等によって固定することができる。
カラー６０，６０は、フランジ部５５，５５に対して隙間を有して配置されている。
なお、軸受支持部材３ａ１には、軸受６ａと、スプール軸５の左端部５ｂを受けるスラスト軸受６ｃが保持されている。
【００４０】
右フレーム２ｂの内側には、筒部２ｂ３が形成されている。筒部２ｂ３内には、軸受６ｂ，６ｄが保持されている。軸受６ｄには、ピニオン１２の軸筒１２ｃが嵌合されている。
【００４１】
スプール軸５は、軸受６ａに軸承される小径部５ｃ１と、スプール５０が固定される太径部５ｃ２と、ピニオン１２側に突出され軸受６ｂに軸承される小径の外方延出端部５ｃ３とで形成されている。外方延出端部５ｃ３は、ピニオン１２の軸筒１２ｃの内側に連結されている。
【００４２】
スプール５０は、大径の浅溝状に形成されている。スプール５０は、スプール軸５の太径部５ｃ２に嵌合固定される筒部５０ｂと、縦壁５０ｃと、釣糸が巻回される巻回胴部５１と、左右のフランジ部５５，５５とで形成されている。
【００４３】
巻回胴部５１は、図３に示すように、略平らに形成された円筒外周部５１ａと、円筒外周部５１ａの両端部から連続して湾曲状に立ち上がる湾曲円筒部５１ｂ，５１ｂとを有している。釣糸Ｌは、これらの円筒外周部５１ａと湾曲円筒部５１ｂ，５１ｂとで構成される溝状の領域に、レベルワインド装置４０（図２参照）を介して均等に巻回される。
【００４４】
図３に示すように、巻回胴部５１の両端部（湾曲円筒部５１ｂの上端部）とフランジ部５５，５５との間には、延在部５３，５３がそれぞれ形成されている。延在部５３は、軸方向外側に向けて延在しており、湾曲円筒部５１ｂの上端部とフランジ部５５との間を軸方向に離間する役割をなす。
【００４５】
フランジ部５５は、図４に示すように、環状壁部５６と、第一周壁部５７と、第二周壁部５８と、を備えている。環状壁部５６は、略円環板状を呈しており、巻回胴部５１の端部に連続して（延在部５３の端部に連続して）径方向外側に向けて張り出している。第一周壁部５７は、環状壁部５６の外周縁部から軸方向外側へ向けて延在しており、右フレーム２ｂの上面２ｂ１に近接配置されている。第一周壁部５７の外周面は、右フレーム２ｂの上面２ｂ１（左フレーム２ａでは上面２ａ１、図３参照）と平行または略平行に形成されている。第一周壁部５７の先端部５７ａは、カラー６０の軸方向内側面６１に隙間Ｓ１を介して対向配置されている。環状壁部５６と第一周壁部５７との角部は面取りされている。第二周壁部５８は、第一周壁部５７の径方向内側において環状壁部５６の外面から軸方向外側へ向けて延在している。第二周壁部５８は、第一周壁部５７よりも軸方向外側に突出している。第二周壁部５８の先端部５８ａは、カラー６０の径方向内側に位置しており、径方向内側面６２に間隔を空けて対向配置されている。
本実施形態では、カラー６０の角部６５を挟んでカラー６０の二つの面（軸方向内側面６１および径方向内側面６２）に亘るように、第一周壁部５７と第二周壁部５８とが配置される。
【００４６】
第一周壁部５７と第二周壁部５８との間には円環状の凹部５９が設けられている。凹部５９は、釣糸Ｌの侵入時に釣糸Ｌを保持するための保持部として機能する。
【００４７】
以上のような魚釣用リールにおいて、キャスティング時のサミング操作は、例えば、右フレーム２ｂの上面２ｂ１に置いた手の指を、スプール５０側へスライド移動させることで簡単に行うことができる。つまり、スプール５０の第一周壁部５７が右フレーム２ｂの上面２ｂ１に近接配置されているので、上面２ｂ１に置いた手の指をスプール５０側に移動するだけで、指が第一周壁部５７の外周面上にスムーズに載り、第一周壁部５７を通じてスプール５０をサミング操作することができる。したがって、微妙なサミング操作も可能となり所望のサミング操作を違和感なく行うことができる。これによって、バックラッシュ現象を確実かつ容易に防止することができる。
【００４８】
以上説明した本実施形態の魚釣用リールによれば、リール本体１の右フレーム２ｂ（左フレーム２ａ）と環状壁部５６とを第一周壁部５７を介して軸方向に離間配置することができる。したがって、バックラッシュした際の釣糸Ｌの膨らみが環状壁部５６の釣糸移動規制作用に加えて右フレーム２ｂ（カラー６０、左フレーム２ａ）に近付き難くなり、右フレーム２ｂ（カラー６０、左フレーム２ａ）とスプール５０との間に釣糸Ｌが侵入するリスクを好適に抑えることができる。
【００４９】
また、第一周壁部５７が右フレーム２ｂ（カラー６０、左フレーム２ａ）の内面に近接配置され、サミング時に右フレーム２ｂ（カラー６０、左フレーム２ａ）上から第一周壁部５７上に手の指をスムーズに移動させることができるので、釣糸Ｌの侵入の防止を図りながら、サミング操作を好適に行うことができ、スムーズな釣糸放出操作を実現することができる。
【００５０】
また、仮に第一周壁部５７と右フレーム２ｂ（左フレーム２ａ）との隙間Ｓ１を通じて釣糸Ｌが侵入したとしても、第二周壁部５８に釣糸Ｌを係止させることができ、第二周壁部５８よりも内側へ釣糸Ｌが移動するのを規制することができるので、スプール５０の内側に釣糸Ｌが食い込んだり絡み付いたりする糸噛み現象を防止することができる。
【００５１】
また、第一周壁部５７と第二周壁部５８との間に環状の凹部５９が設けられているので、仮に第一周壁部５７と右フレーム２ｂ（カラー６０、左フレーム２ａ）との隙間Ｓ１を通じて釣糸Ｌが侵入したとしても、凹部５９内に釣糸Ｌを好適に係止させることができる。したがって、糸噛み現象を好適に防止することができる。
【００５２】
また、別体のカラー６０をスプール５０のフランジ部５５に対向配置させる構成としたので、径寸法の異なるスプール５０を装着する場合に、サイズの異なるカラー６０を選択使用することで、リール脚１Ｃを一体成形した左右のフレーム２ａ，２ｂの共通化を図ることができる。
【００５３】
次に、図５〜図９を参照して、変形例の魚釣用リールについて説明する。
図５に示す第一変形例の魚釣用リールでは、軸方向内側面６１に突条部６３を備えたカラー６０Ａを用いている。突条部６３は、軸方向内側面６１の径方向外側部位に突設されており、スプール５０の第一周壁部５７を径方向外側から部分的に覆っている。つまり、突条部６３は、第一周壁部５７の先端部５７ａと軸方向内側面６１との隙間Ｓ１（図４参照）を径方向外側から覆っており、隙間Ｓ１（図４参照）を通じた釣糸Ｌの侵入を好適に規制する規制部材として機能する。
【００５４】
この第一変形例の魚釣用リールでは、前記実施形態で説明した作用効果に加えて次のような作用効果が得られる。すなわち、右フレーム２ｂ（左フレーム２ａ）の上面２ｂ１と第一周壁部５７との間に突条部６３が介在されるので、釣糸Ｌの侵入の防止を図りながら、サミング操作時に上面２ｂ１に置いた手の指をスプール５０側にスムーズに移動することができる。また、突条部６３に指を掛けながらスプール５０（第一周壁部５７）をサミング操作できるので、より微妙なサミング操作も可能となり所望のサミング操作を違和感なく好適に行うことができる。
【００５５】
図６に示す第二変形例の魚釣用リールでは、フランジ部５５の凹部５９内に挿入される挿入部６４を備えたカラー６０Ｂを用いている。挿入部６４は、凹部５９に対向する部位となる軸方向内側面６１の径方向内側部位に突設されており、凹部５９の開口から凹部５９内に挿入され、凹部５９において非接触状態に配置されている。つまり、挿入部６４は、第一周壁部５７の先端部５７ａと軸方向内側面６１との隙間Ｓ１（図４参照）を軸方向に横断して経路を遮っており、隙間Ｓ１（図４参照）を通じた釣糸Ｌの侵入を好適に規制する規制部材として機能する。
【００５６】
この第二変形例の魚釣用リールでは、前記実施形態で説明した作用効果に加えて次のような作用効果が得られる。すなわち、挿入部６４が配置されることにより、凹部５９内の空間が径方向に仕切られることとなり、仕切られた空間を利用して釣糸Ｌの侵入を防止するラビリンス効果が得られる。したがって、スプール５０の内側に釣糸Ｌが食い込んだり絡み付いたりする糸噛み現象をより一層好適に防止することができる。
【００５７】
図７に示す第三変形例の魚釣用リールでは、前記第一変形例で示した突条部６３および前記第二変形例で示した挿入部６４の両方を備えたカラー６０Ｃを用いている。この変形例では、突条部６３と挿入部６４とで第一周壁部５７の一部を径方向から覆っており、これらが隙間Ｓ１（図４参照）を通じた釣糸Ｌの侵入を好適に規制する規制部材として機能する。
【００５８】
この第三変形例の魚釣用リールでは、前記実施形態で説明した作用効果、上記第一変形例および第二変形例で説明した作用効果に加えて次のような作用効果が得られる。すなわち、第一周壁部７３を径方向に挟んで配置される突条部６３と挿入部６４とによって仕切られる空間を利用して、釣糸Ｌの侵入を防止するラビリンス効果が得られる。したがって、スプール５０の内側に釣糸Ｌが食い込んだり絡み付いたりする糸噛み現象をより一層好適に防止することができる。
【００５９】
図８に示す第四変形例の魚釣用リールでは、環状壁部５６Ａの内面を径方向外側に向かうにつれて軸方向内側へ傾斜させてある。つまり、環状壁部５６Ａの内面とカラー６０（右フレーム２ｂ）との距離が環状壁部５６Ａの基端側に比べて径方向外側では大きくなるように構成されている。
【００６０】
この第四変形例の魚釣用リールでは、前記実施形態で説明した作用効果に加えて次のような作用効果が得られる。すなわち、環状壁部５６Ａの傾斜によって、径方向外側に向けた釣糸Ｌの移動を抑制することができるので、バックラッシュした際の釣糸Ｌの膨らみがカラー６０側に近付き難くなり、カラー６０とスプール５０との間に釣糸Ｌが侵入するリスクをより一層好適に抑えることができる。
【００６１】
図９に示す第五変形例の魚釣用リールでは、第二周壁部５８の外周面５８ｂに凸部５８ｃを設けてある。
このような凸部５８ｃを設けることによって凸部５８ｃに釣糸Ｌを好適に係止させることができる。したがって、スプール５０の内側に釣糸Ｌが食い込んだり絡み付いたりする糸噛み現象をより一層好適に防止することができる。
【００６２】
以上、本発明の実施形態について説明したが、本発明は、上記した実施形態に限定されることはなく、種々変形することが可能である。
例えば、前記実施形態や変形例において、湾曲円筒部５１ｂの上端部とフランジ部５５との間に設けられた延在部５３，５３は、必ずしも設けなくてもよく、湾曲円筒部５１ｂの上端部に連続してフランジ部５５を設けてもよい。
【００６３】
なお、カラー６０を用いない構成にして、フランジ部５５を左フレーム２ａや右フレーム２ｂに対向配置させてもよい。
【符号の説明】
【００６４】
１      リール本体
１Ａ    左側板
１Ｂ    右側板
５０  スプール
５１  巻回胴部
５５  フランジ部
５６  環状壁部
５７  第一周壁部
５８  第二周壁部
５８ｃ  凸部
５９  凹部
６４  挿入部
Ｌ    釣糸
【図１】
0006315688.tif 000002
【図２】
0006315688.tif 000003
【図３】
0006315688.tif 000004
【図４】
0006315688.tif 000005
【図５】
0006315688.tif 000006
【図６】
0006315688.tif 000007
【図７】
0006315688.tif 000008
【図８】
0006315688.tif 000009
【図９】
0006315688.tif 000010
【図１０】
0006315688.tif 000011